(57)【要約】【課題】  撮像条件を容易に制御可能な，新規かつ改良された撮像装置，操作装置，および撮像条件制御方法を提供する。【解決手段】  被写体を撮像するカメラ部を備えたカメラ装置と，カメラ部の撮像条件を指示する操作装置とを備える撮像装置が提供される。上記撮像装置において，操作装置は，オペレータによって操作される操作部と，操作部の操作結果に応じて，第１の撮像条件および第２の撮像条件の設定値を，ＸＹ座標値として検出する座標値検出部と，検出されたＸＹ座標値に基づき，第１の撮像条件および第２の撮像条件をカメラ装置に指示するための指示信号を生成する指示信号生成部とを備えており，カメラ装置は，指示信号に基づき，カメラ部の撮像条件を制御する撮像条件制御部を備える。【選択図】    図１
2005203874.tif 000002
【特許請求の範囲】
【請求項１】
被写体を撮像するカメラ部を備えたカメラ装置と，前記カメラ部の撮像条件を指示する操作装置とを備える撮像装置において：
前記操作装置は，オペレータによって操作される操作部と；
前記操作部の操作結果に応じて，第１の撮像条件および第２の撮像条件の設定値を，ＸＹ座標値として検出する座標値検出部と；
検出された前記ＸＹ座標値に基づき，前記第１の撮像条件および第２の撮像条件を前記カメラ装置に指示するための指示信号を生成する指示信号生成部と；
を備えており，
前記カメラ装置は，前記指示信号に基づき，前記カメラ部の撮像条件を制御する撮像条件制御部を備えることを特徴とする，撮像装置。
【請求項２】
前記撮像装置には，前記撮像条件制御部により前記カメラ部の撮像条件の制御が反映された映像を表示する表示装置をさらに備えることを特徴とする，請求項１に記載の撮像装置。
【請求項３】
前記操作装置は，前記カメラ部の撮像条件をリモートで指示することを特徴とする，請求項１に記載の撮像装置。
【請求項４】
前記操作部は，オペレータによる一回の入力操作で前記第１の撮像条件および第２の撮像条件の設定値を入力することを特徴とする，請求項１に記載の撮像装置。
【請求項５】
前記操作部には，前記カメラ部の撮像条件の決定を指示するための決定ボタンが備わることを特徴とする，請求項１に記載の撮像装置。
【請求項６】
前記指示信号生成部は，前記カメラ部の撮像条件の決定を指示する決定指示信号を生成することを特徴とする，請求項１に記載の撮像装置。
【請求項７】
前記操作部は，ジョイスティックであることを特徴とする，請求項１に記載の撮像装置。
【請求項８】
前記ジョイスティックには，前記カメラ部の撮像条件の決定を指示するための決定ボタンが備わることを特徴とする，請求項７に記載の撮像装置。
【請求項９】
前記決定ボタンは，前記ジョイスティックの先端部に備わることを特徴とする，請求項８に記載の撮像装置。
【請求項１０】
前記第１の撮像条件の設定値は，前記カメラのシャッタースピード値であり，前記第２の撮像条件の設定値は，絞り値であることを特徴とする，請求項１に記載の撮像装置。
【請求項１１】
前記撮像条件制御部は，前記カメラのシャッタースピードと前記カメラの絞りとを制御する露出制御部であることを特徴とする，請求項１に記載の撮像装置。
【請求項１２】
前記第１の撮像条件の設定値は，Ｒゲイン値であり，前記第２の撮像条件の設定値はＢゲイン値であることを特徴とする，請求項１に記載の撮像装置。
【請求項１３】
前記撮像条件制御部は，前記Ｒゲイン値と前記Ｂゲイン値とを制御する色温度制御部であることを特徴とする，請求項１に記載の撮像装置。
【請求項１４】
被写体を撮像するカメラ部を備えたカメラ装置に，前記カメラ部の撮像条件を指示する操作装置において：
オペレータによって操作される操作部と；
前記操作部の操作結果に応じて，第１の撮像条件および第２の撮像条件の設定値を，ＸＹ座標値として検出する座標値検出部と；
検出された前記ＸＹ座標値に基づき，前記第１の撮像条件および第２の撮像条件を前記カメラ装置に指示するための指示信号を生成する指示信号生成部と；
を備えることを特徴とする，操作装置。
【請求項１５】
前記操作装置は，前記カメラ部の撮像条件をリモートで指示することを特徴とする，請求項１４に記載の操作装置。
【請求項１６】
前記操作部は，オペレータによる一回の入力操作で前記第１の撮像条件および第２の撮像条件の設定値を入力することを特徴とする，請求項１４に記載の操作装置。
【請求項１７】
前記操作部には，前記カメラ部の撮像条件の決定を指示するための決定ボタンが備わることを特徴とする，請求項１４に記載の操作装置。
【請求項１８】
前記指示信号生成部は，前記カメラ部の撮像条件の決定を指示する決定指示信号を生成することを特徴とする，請求項１４に記載の操作装置。
【請求項１９】
前記操作部は，ジョイスティックであることを特徴とする，請求項１４に記載の操作装置。
【請求項２０】
前記ジョイスティックには，前記カメラ部の撮像条件の決定を指示するための決定ボタンが備わることを特徴とする，請求項１９に記載の操作装置。
【請求項２１】
前記決定ボタンは，前記ジョイスティックの先端部に備わることを特徴とする，請求項２０に記載の操作装置。
【請求項２２】
前記第１の撮像条件の設定値は，前記カメラのシャッタースピード値であり，前記第２の撮像条件の設定値は，絞り値であることを特徴とする，請求項１４に記載の操作装置。
【請求項２３】
前記第１の撮像条件の設定値は，Ｒゲイン値であり，前記第２の撮像条件の設定値はＢゲイン値であることを特徴とする，請求項１４に記載の操作装置。
【請求項２４】
操作装置により，被写体を撮像するカメラ部の撮像条件を指示することで，該カメラ部の撮像条件を制御する撮像条件制御方法であって：
オペレータにより，前記操作装置に備わる操作部が操作された結果に応じて，第１の撮像条件および第２の撮像条件の設定値を，ＸＹ座標値として検出する座標値検出処理と；
検出された前記ＸＹ座標値に基づき，前記第１の撮像条件および第２の撮像条件を前記カメラ装置に指示するための指示信号を生成する指示信号生成処理と；
前記指示信号に基づき，前記カメラ部の撮像条件を制御する撮像条件制御処理を有することを特徴とする，撮像条件制御方法。
【請求項２５】
前記指示信号生成処理は，前記カメラ部の撮像条件の決定を指示する決定指示信号を生成することを特徴とする，請求項２４に記載の撮像条件制御方法。
【請求項２６】
前記第１の撮像条件の設定値は，前記カメラのシャッタースピード値であり，前記第２の撮像条件の設定値は，絞り値であることを特徴とする，請求項２４に記載の撮像条件制御方法。
【請求項２７】
前記第１の撮像条件の設定値は，Ｒゲイン値であり，前記第２の撮像条件の設定値はＢゲイン値であることを特徴とする，請求項２４に記載の撮像条件制御方法。
【発明の詳細な説明】
【技術分野】
【０００１】
本発明は，撮像装置，操作装置，および撮像条件制御方法に関する。
【背景技術】
【０００２】
従来から，防犯等のセキュリティ対策などの目的で，１又は２台以上のカメラを，例えば企業のビルや，一般家庭の住宅等に設置し，モニタに映し出される映像をオペレータが監視する監視システムなど様々な撮像システム（撮像装置）が存在する（例えば，特許文献１参照）。
【０００３】
上記監視システムでは，監視員が視聴したいカメラにコマンド等の指示を送ることで，モニタには，リアルタイムで監視員の目的とする映像が表示される。なお，上記カメラが設置され，カメラが撮像する際には，予め露光等の撮像条件をカメラに設定する必要がある。本願発明に関連する技術文献情報には，次のものがある。
【０００４】
【特許文献１】特開平７−２１２７４８号公報
【発明の開示】
【発明が解決しようとする課題】
【０００５】
しかしながら，予め適当な撮像条件をカメラに設定しても，時間帯や，時期等の時間の経過に伴い，撮像条件を変更しなければならない場合があるが，監視端末に備わるコントローラから直接カメラの撮像条件を変更することができないため，カメラの設置場所まで行き，カメラの撮像条件を変更する必要があった。
【０００６】
また，監視員がコントローラを使用し，カメラの撮像条件を変更することが可能なシステムも存在するが，多くの場合，複数のボタンまたはレバー等を使用し，複雑な操作を要するため容易に撮像条件を設定することが難しかった。
【０００７】
本発明は，上記問題点に鑑みてなされたものであり，本発明の目的は，撮像条件を容易に制御可能な，新規かつ改良された撮像装置，操作装置，および撮像条件制御方法を提供することである。
【課題を解決するための手段】
【０００８】
上記課題を解決するため，本発明の第１の観点によれば，被写体を撮像するカメラ部を備えたカメラ装置と，前記カメラ部の撮像条件を指示する操作装置とを備える撮像装置が提供される。上記撮像装置において，操作装置は，オペレータによって操作される操作部と；操作部の操作結果に応じて，第１の撮像条件および第２の撮像条件の設定値を，ＸＹ座標値として検出する座標値検出部と；検出されたＸＹ座標値に基づき，第１の撮像条件および第２の撮像条件をカメラ装置に指示するための指示信号を生成する指示信号生成部とを備えており，カメラ装置は，指示信号に基づき，カメラ部の撮像条件を制御する撮像条件制御部を備えることを特徴としている。
【０００９】
本発明によれば，撮像装置には，接続ケーブルを介してカメラ装置と操作装置とが備わり，操作装置は，カメラ装置に撮像条件の設定値を指示することで，カメラ装置に備わり，被写体を撮像するカメラ部の撮像条件を制御する。かかる構成により，撮像場面，時間帯に応じて適当な撮像条件２つを一括して指示することで，迅速かつ効率的に適正条件となる撮像条件に変更することができる。
【００１０】
撮像装置には，操作部の入力操作に応じて，撮像条件制御部によりカメラ部の撮像条件の制御が反映された映像を表示する表示装置をさらに備えるように構成してもよい。かかる構成により，オペレータが表示装置に表示される撮像条件の変更による映像の画質等の状況を確認しながら，適正条件となる撮像条件に変更することができる。
【００１１】
操作装置は，カメラ部の撮像条件をリモートで指示するように構成してもよい。
【００１２】
操作部は，オペレータによる一回の入力操作で前記第１の撮像条件および第２の撮像条件の設定値を入力するように構成することができる。かかる構成により，２つの撮像条件を一括して入力できるため，撮像条件を効率的に指示できる。
【００１３】
操作部には，カメラ部の撮像条件の決定を指示するための決定ボタンが備わるように構成してもよい。かかる構成により，入力操作の誤操作を防ぎ，無理，無駄なく効率的に撮像条件を設定できる。
【００１４】
指示信号生成部は，カメラ部の撮像条件の決定を指示する決定指示信号を生成するように構成してもよい。かかる構成により，決定指示信号が送信する適正条件となるまで，撮像条件をいろいろ調整できる。
【００１５】
操作部は，ジョイスティックであるように構成してもよい。かかる構成により，入力操作が一回で済むため操作の効率化が図れ，また目的とする撮像条件を直感的に指図することができるため操作性の容易化が図れる。
【００１６】
ジョイスティックには，カメラ部の撮像条件の決定を指示するための決定ボタンが備わるように構成してもよい。
【００１７】
決定ボタンは，ジョイスティックの先端部に備わるように構成してもよい。かかる構成により，カメラ部の撮像条件の決定をタイミングよく指示することができる。
【００１８】
第１の撮像条件の設定値は，カメラのシャッタースピード値であり，第２の撮像条件の設定値は，絞り値であるように構成してもよい。
【００１９】
撮像条件制御部は，カメラのシャッタースピードとカメラの絞りとを制御する露出制御部であるように構成してもよい。
【００２０】
第１の撮像条件の設定値は，Ｒゲイン値であり，第２の撮像条件の設定値はＢゲイン値であるように構成してもよい。
【００２１】
撮像条件制御部は，Ｒゲイン値とＢゲイン値とを制御する色温度制御部であるように構成してもよい。
【００２２】
操作部は，トラックパッド，十字キー，タブレット，またはスティック型ポインティングデバイスのうち少なくともいずれか一つであるように構成してもよい。
【００２３】
上記課題を解決するために，本発明の別の観点によれば，被写体を撮像するカメラ部を備えたカメラ装置に，カメラ部の撮像条件を指示する操作装置が提供される。なお，上記操作装置は，上記説明の撮像装置に備わる操作装置と，ほぼ同様の構成であるため，詳細な説明は省略する。
【００２４】
また，上記課題を解決するために，本発明の別の観点によれば，操作装置により，被写体を撮像するカメラ部の撮像条件を指示することで，カメラ部の撮像条件を制御する撮像条件制御方法が提供される。上記撮像条件制御方法は，操作装置に備わる操作部がオペレータによって操作された結果に応じて，第１の撮像条件および第２の撮像条件の設定値を，ＸＹ座標値として検出する座標値検出処理と；検出されたＸＹ座標値に基づき，第１の撮像条件および第２の撮像条件をカメラ装置に指示するための指示信号を生成する指示信号生成処理と；指示信号に基づき，カメラ部の撮像条件を制御する撮像条件制御処理を有することを特徴としている。
【００２５】
指示信号生成処理は，カメラ部の撮像条件の決定を指示する決定指示信号を生成するように構成してもよい。
【００２６】
第１の撮像条件の設定値は，カメラのシャッタースピード値であり，第２の撮像条件の設定値は，絞り値であるように構成してもよい。
【００２７】
第１の撮像条件の設定値は，Ｒゲイン値であり，第２の撮像条件の設定値はＢゲイン値であるように構成してもよい。
【発明の効果】
【００２８】
以上説明したように，本発明によれば，場面に応じて適当な撮像条件を簡単な操作で，容易または効率的に設定することができる。
【発明を実施するための最良の形態】
【００２９】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００３０】
まず，図１を参照しながら，本実施の形態にかかる撮像装置１００について説明する。図１は，本実施の形態にかかる撮像装置１００の概略的な構成を示す説明図である。
【００３１】
図１に示すように，撮像装置１００は，被写体を撮像し映像を出力するカメラ装置１０１と，表示装置１０５と，操作装置等に相当するコントローラ１０３と，接続ケーブル１０７とから構成されている。双方向または単方向に信号を伝送可能な接続ケーブル１０７は，カメラ装置１０１と表示装置１０５とを接続し，またカメラ装置１０１とコントローラ１０３とを接続している。
【００３２】
カメラ装置１０１に備わるカメラ部３０１により撮像された映像は，接続ケーブル１０７を介して，表示装置１０５に表示される。オペレータは，上記表示装置１０５に映る映像を見ながら，コントローラ１０３に備わるジョイスティック１８１（操作部）を撮像条件として適当な方向に一回の入力操作で，上記カメラ部３０１の撮像条件をリモート制御することができる。なお，上記撮像条件とは，カメラ部３０１が被写体を撮像する際に必要な条件のことである。例えば，撮像条件は，露出を決定するためのシャッタースピードまたはレンズの絞り等を例示することができる。
【００３３】
上記コントローラ１０３は，ジョイスティック１８１の入力操作で指示された撮像条件にカメラ部３０１を制御するため，接続ケーブル１０７を介して，指示信号をカメラ装置１０１に送信する。
【００３４】
カメラ装置１０１が上記指示信号を受信すると，撮像条件を制御する各制御部が，上記指示信号に基づきカメラ部３０１を制御する。なお，撮像方向の制御は，例えば，カメラ部３０１を回転するパン・チルト制御の他に，ズーム制御，アイリス制御などを例示することができる。
【００３５】
なお，接続ケーブル１０７は，例えば，光ファイバケーブル等を例示することができるが，かかる例に限定されず，シリアルケーブル等のケーブルの場合であっても実施可能である。
【００３６】
次に，図２を参照しながら，本実施の形態にかかるカメラ装置１０１について説明する。図２は，本実施の形態にかかるカメラ装置１０１の概略的な構成を示す説明図である。
【００３７】
図２に示すように，本実施の形態にかかるカメラ装置１０１は，被写体を撮像し映像信号を出力するためレンズや撮像素子等を備えるカメラ部３０１と，上記カメラ部３０１をパン方向や，チルト方向の回転を駆動する駆動部（図示せず。）を備える台座３０３を備える。なお，本実施の形態にかかるカメラ装置１０１には，上記駆動部を備える台座３０３が含まれない場合でも実施できる。
【００３８】
上記コントローラ１０３からのリモート操作によって，カメラ部３０１が撮像する際の撮像条件を制御することができる。例えば，コントローラ１０３から撮像条件の変更の指示があると，上記カメラ部３０１の撮像条件を制御する制御部が，指示内容に従い，カメラ部３０１を制御する。
【００３９】
本実施の形態にかかる撮像条件としては，図２に示すように，露出を決定するシャッタースピード（撮像条件１）および絞り（撮像条件２）と，また例えばホワイトバランスなど，色温度を決定するＲゲイン（撮像条件１）およびＢゲイン（撮像条件２）がある。なお，かかる例に限定されず，その他の撮像条件であっても実施することができる。
【００４０】
また，本実施の形態にかかるカメラ装置１０１は少なくとも露出またはホワイトバランスを制御可能なカメラであればよく，例えば，カメラ装置１０１は，監視カメラ，リモート監視カメラ，ディジタルスチルカメラ，ディジタルビデオカメラ，携帯電話等に備わるディジタルスチルカメラ，または携帯電話等に備わるディジタルビデオカメラ等を例示することができる。
【００４１】
次に，図３を参照しながら，本実施の形態にかかるコントローラ１０３について説明する。図３は，本実施の形態にかかるコントローラ１０３の概略的な構成を示す上面図である。
【００４２】
図３に示すように，本実施形態にかかるコントローラ１０３は，カメラ部３０１の撮像条件を設定するためのＸＹ座標値を入力する操作部（ジョイスティック）１８１と，モード切換ボタン１８８と，撮像条件切換ボタン１８９とを備えている。
【００４３】
ジョイスティック１８１は，コントローラ１０３に３６０度あらゆる方向へ傾倒可能に支持されている。更に，ジョイスティック１８１はコントローラ１０３に内蔵されるバネ（図示せず。）によって，コントローラ１０３に対して上方に直立する中立位置へ付勢されており，ジョイスティック１８１を把持するオペレータの手を離すと，自動的に中立位置へ復帰するようになっている。
【００４４】
ジョイスティック１８１には，さらにカメラ部３０１の撮像条件の決定を指示する決定ボタン１８７が備わるが，かかる決定ボタン１８７については，後程詳細に説明するため，ここでは省略する。
【００４５】
モード切換ボタン１８８は，カメラ部３０１が撮像する際の撮像条件の設定をカメラ装置１０１側でオートで設定するオート設定モード，またはオペレータの手動で撮像条件の設定をするマニュアル設定モードのどちらかに切換えるためのボタンである。通常，初期状態では，オート設定モードとなっている。
【００４６】
オート設定モードの場合，カメラ装置１０１側でオートで，撮像条件を制御し，適当な撮像条件を決定することで，カメラ部３０１が撮像する際の撮像条件を設定している。なお，オート設定モードの中でも複数種類のモードから構成される場合でもよい。例えば時間帯が夜の場合の露光に適する夜間モード等を例示することができる。
【００４７】
また，マニュアル設定モードの場合，ジョイスティック１８１の傾倒方向に対応する撮像条件に従うようにカメラ部３０１の撮像条件を制御し，撮像条件を設定することができる。つまり，ジョイスティック１８１の中立位置（根元）を原点ＯとするＸＹ座標から，ジョイスティック１８１が傾倒する方向のＸＹ座標値（Ｘ，Ｙ）を求めることで，カメラ部３０１の撮像条件の設定値を割り出すことができ，上記撮像条件の設定値をカメラ装置１０１に送信することで，カメラ部３０１の撮像条件を設定することができる。上記詳細については後述する。
【００４８】
なお，本実施の形態にかかるコントローラ１０３にはジョイスティック１８１が備わる場合を例に挙げて説明したが，かかる例に限定されず，コントローラ１０３には，例えば十字キーが設けられる場合でもよい。上記十字キーの押された方向に対応する撮像条件の設定値を求め，カメラ部３０１の撮像条件を設定することができる。
【００４９】
さらに，十字キーの以外にも，例えば，機械的又は電子的な接点を有したスイッチであってもよく，表示装置１０５と組み合わせたタッチパネル，スティック型ポインティングデバイス，タブレット，またはその他のポインティングデバイスであってもよい。また，オペレータが手動で直接操作可能なものであれば，係る例に限定されず，マウスなどの場合であってもよい。
【００５０】
タブレットとは，専用の台の上で、ペン（または小型の指示装置）を移動することで、その軌跡からカメラ部３０１の撮像条件を指示することができるデバイスである。例えば，コントローラ１０３が軌跡を検出することで撮像条件を割り出すことが可能なタブレットを備えれば，カメラ装置１０１に撮像条件を指示することができる。
【００５１】
スティック型ポインティングデバイスとは，棒状の突起が配置され、これを指で前後左右に力を加えることで、カメラ部３０１の撮像条件等を設定することができる。
【００５２】
また，本実施の形態にかかるコントローラ１０３は，カメラ装置１０１と別体である場合を例に挙げて説明したが，かかる例に限定されず，例えば，コントローラ１０３がカメラ装置１０１に備わる一体型の場合であっても実施できる。上記の場合，カメラ装置１０１が露出などの撮像条件を設定可能なカメラ（例えば，監視カメラ，リモート監視カメラ，ディジタルスチルカメラ，ディジタルビデオカメラ，携帯電話等に備わるディジタルスチルカメラ，または携帯電話等に備わるディジタルビデオカメラ等）にコントローラ１０３が備わってもよい。
【００５３】
次に，図４を参照しながら，本実施の形態にかかる撮像装置１００の構成要素について説明する。図４は，本実施の形態にかかる撮像装置の概略的な構成を示すブロック図である。
【００５４】
図４に示すように，撮像装置１００には，カメラ装置１０１とコントローラ１０３の双方を接続する接続ケーブル１０７とが備わる。カメラ装置１０１には，レンズ２０１と，Ｒゲイン制御部２０２と，撮像部２０３と，Ｂゲイン制御部２０４と，電子シャッター制御部２０５と，記憶部２０６と，レンズ絞り制御部２０７と，各部を制御するマイコン等に相当するＣＰＵ２０９と，通信部２１１とが備わる。
【００５５】
なお，上記説明のカメラ部３０１には，レンズ２０１，Ｒゲイン制御部２０２，撮像部２０３，Ｂゲイン制御部２０４，電子シャッター制御部２０５，記憶部２０６，レンズ絞り制御部２０７，各部を制御するマイコン等に相当するＣＰＵ２０９，および通信部２１１が備わるが，カメラ部３０１または台座３０３のいずれかに備われば，かかる例に限定されない。
【００５６】
レンズ２０１には，レンズの他に，不要な波長を除去する光学フィルタ等が備わる。光学フィルタは，例えば，ＮＤフィルタなどが挙げられる。被写体から入射し，レンズ２０１を透過した光は，撮像部２０３に取り込まれ，電気信号に変換される。またレンズ２０１は，レンズ絞り制御部２３０により，撮像条件の一つであるレンズの絞りが制御される。
【００５７】
撮像部２０３には，撮像素子（又は撮像デバイス，図示せず。）等が備わり，映像信号を出力する。上記撮像素子は，受光面に２次元的に設けられた光電変換素子からなる複数の画素により，被写体から受光した光学像を光電変換して電気的な映像信号として出力することが可能である。例えば，撮像素子（図示せず。）は，３ＣＣＤなどの固体撮像デバイス等を例示することができる。
【００５８】
なお，撮像部２０３は，撮像素子から出力された映像信号に対して，例えばニー処理や，信号に含まれるノイズを減少させるためのＣＤＳ（ｃｏｒｒｅｌａｔｅｄ  ｄｏｕｂｌｅ  ｓａｍｐｌｉｎｇ  ｃｉｒｃｕｉｔ  相関２重サンプリング）等の処理が実行されてもよい。
【００５９】
撮像部２０３から出力される映像信号は，ドライバ等を有する出力部（図示せず。）を介して，液晶ディスプレイ等の表示装置１０５に送出され，表示装置１０５に映像が表示される。
【００６０】
電子シャッター制御部２０５は，撮像部２０３で撮像する際のシャッタースピードを制御している。レンズ絞り制御部２３０は，レンズ２０１の絞りを制御している。上記レンズ絞り制御部２３０および電子シャッター制御部２０５で露出の制御をする露出制御部としての機能を果たしている。
【００６１】
また，Ｒゲイン制御部２０２は，撮像部２０３で撮像する際の色温度のうちＲゲインを制御している。Ｂゲイン制御部２０４は，撮像部２０３で撮像する際の色温度のうちＢゲインを制御している。上記Ｒゲイン制御部２０２およびＢゲイン制御部２０４で色温度の制御をする色温度制御部としての機能を果たしている。
【００６２】
ＣＰＵ２０９は，例えば，コントローラ１０３から送出される指示信号などの信号に基づき，Ｒゲイン制御部２０２，レンズ絞り制御部２３０，Ｂゲイン制御部２０４，電子シャッター制御部２０５，撮像部２０３，または通信部２１１の各実行処理を制御する。なお，ＣＰＵ２０９は，制御可能な装置であればＣＰＵに限定されない。
【００６３】
さらにＣＰＵ２０９は，外部装置と送受信するための外部Ｉ／Ｆ（外部インタフェース）である通信部２１１を介して，コントローラ１０３等から信号を受信すると，カメラ装置１０１に備わる各部の処理を制御することができる。
【００６４】
例えば，ＣＰＵ２０９は，コントローラ１０３から撮像条件を変更する指示信号を受信すると，カメラ装置１０１の電子シャッター制御部２０５またはレンズ絞り制御部２３０等を制御し，指示された撮像条件を満たすようカメラ部３０１の撮像条件を変更させることができる。
【００６５】
また，図４に示すように，コントローラ１０３には，ジョイスティック１８１と，決定ボタン１８７と，座標検出部２１３と，ＣＰＵ２１５と，指示信号を生成する指示信号生成部２２４と，カメラ装置１０１に撮像条件を指示する指示信号等を送信する通信部２１７とが備わる。
【００６６】
オペレータの手動操作で，ジョイスティック１８１が撮像条件を指示する方向に傾倒されると，座標検出部２１３は，上記ジョイスティック１８１の傾斜角度および傾斜方向に基づき，ＸＹ座標値を検出することができる。上記ＸＹ座標値は，ジョイスティック１８１の根元を原点とするＸＹ座標の絶対位置（又は絶対座標）である。
【００６７】
ジョイスティック１８１を備えるコントローラ１０３は，１回の入力操作でＸＹ座標値を検出することができる。例えば２つの撮像条件を１回の入力操作で設定することができるため，オペレータは効率良く，迅速に撮像条件を指示することができる。
【００６８】
座標検出部２１３は，オペレータの手動操作で傾倒されたジョイスティック１８１の傾斜角度や，傾斜方向等によって，コントローラ１０３の根元を原点とするＸＹ座標からＸＹ座標値（絶対座標）を検出する。
【００６９】
上記ＸＹ座標値のＸ軸およびＹ軸には，それぞれ異なる撮像条件（撮像条件１，撮像条件２）が割当てられており，検出されたＸＹ座標値から，上記２つの撮像条件の設定値がそれぞれ求められる。したがって，ジョイスティック１８１の傾倒で検出されたＸＹ座標値から割り出される２つ撮像条件を一括して，カメラ装置１０１側のカメラ部３０１の撮像条件に設定することができる。なお，詳細は後述する。
【００７０】
ジョイスティック１８１が光学式ジョイスティックの場合，座標検出部２１３には，光を照射する照射部（図示せず。）と，受光センサとしてのフォトカプラ（図示せず。）と，複数のスリットを有する扇形状のスリット板（図示せず。）と，カウンタ部等が備わっている。なお，スリット板は，Ｘ軸／Ｙ軸方向に２つのスリット板が備わっている。なお，係る例に限定されず，複数の軸方向に複数のスリット板が備わる場合でもよい。
【００７１】
ジョイスティック１８１が何ら操作されていない状態（中立状態）では，照射部から照射された光はスリットを通過し，フォトカプラによって受光される。上記静止状態からジョイスティック１８１がオペレータによって，手動操作されると，Ｘ軸／Ｙ軸方向に備わる２枚のスリット板が回動することで，スリットを通過していた光はスリット板によって遮られる。
【００７２】
フォトカプラは，回動直前まで光が遮られず受光していた状態から，スリット板によって光が遮られると，パルスを発生する。カウンタ部は，上記パルスの発生回数を各スリット板ごとにカウントする。
【００７３】
座標検出部２１３は，上記カウンタ部による計測されたパルス発生回数に基づき，絶対位置であるＸＹ座標値を検出することができる。なお，例えば，扇形状のスリット板の回転によって，１回光が遮られると１パルス発生するが，例えばＸＹ軸を１パルス発生ごとに１２８段階に分けて，（−６４，−６４）〜（６４，６４）までのＸＹ座標値を検出することができる。なお，本実施の形態にかかる座標検出部は，光学式ジョイスティックの場合を例に挙げて説明したが，かかる例に限定されない。
【００７４】
指示信号生成部２２４は，検出されたＸＹ座標値から求められる２つの撮像条件をカメラ装置１０１に指示するため，２つの撮像条件の設定値等が設定された指示信号を生成する。上記指示信号には，例えば，撮像条件ごとの設定値等が設定されている。
【００７５】
監視部２２２は，決定ボタン１８７が押下されたか否かを常に監視している。オペレータにより決定ボタン１８７が押下されると，監視部２２２は，感知し，ＣＰＵ２１５に決定ボタン１８７が押下された旨を伝達する。
【００７６】
なお，本実施の形態にかかる監視部２２２は，論理回路等から構成される回路基板（ハードウェア）であるが，係る例に限定されず，例えば，監視部２２２は，ＲＯＭ等に記憶されたファームウェアまたはソフトウェア等の場合でもよい。
【００７７】
なお，本実施の形態にかかる光学式ジョイスティックの場合の座標検出部２１３について説明したが，例えば，絶対座標値（ＸＹ座標値）を検出可能な装置であれば，かかる例に限定されず，例えば，タブレット，スティック型ポインティングデバイス，またはタッチパネルなど，他のいかなる装置でも実施可能である。
【００７８】
また，本実施の形態にかかるコントローラ１０３には，ＣＰＵ２１５が備わる場合を例に挙げて説明したが，かかる例に限定されない。例えば，コントローラ１０３がＣＰＵ２１５を備えない場合でも実施可能である。その場合，カメラ装置１０１側のＣＰＵ２０９によって，コントローラ１０３の各部は制御される。
【００７９】
次に，図５〜図７を参照しながら，本実施の形態にかかるジョイスティック１８１の動作について説明する。図５〜図７は，本実施の形態にかかるジョイスティック１８１が備わるコントローラ１０３の概略的な構成を示す説明図である。
【００８０】
図５（ａ），図６（ａ），図７（ａ）に示すように，コントローラ１０３の平面上にはジョイスティック１８１の根元を原点ＯとするＸＹ軸が仮想的に配置されている。なお，仮想的にＸＹ軸を配置することに限定されず，実際にコントローラ１０３の平面上にＸＹ軸を視認できるように実際に配置してもよい。
【００８１】
上記ジョイスティック１８１をＸ軸上の左方向（図５に示す白抜きの矢印方向。）に傾倒すると，図５（ａ）に示す状態となり，この状態で決定ボタン１８７が押下されることで，指示信号生成部２２４は指示信号を生成し，カメラ装置１０１に送出する。
【００８２】
上記決定ボタン１８７は，ジョイスティック１８１の先端部に備わっているため，オペレータは，ジョイスティック１８１の傾倒状態に関係なく常に目に付き，押下しやすい位置に備わるため，親指等で容易にボタンを押下することができ，ボタンの押しミスや，押し忘れを防げる。
【００８３】
図５（ａ）は，本実施の形態にかかるジョイスティック１８１がＸ軸上左方向に傾斜した状態のコントローラ１０３の上面図であり，図５（ｂ）は，本実施の形態にかかるジョイスティック１８１がＸ軸上左方向に傾斜した状態のコントローラ１０３の側面図である。
【００８４】
上記ジョイスティック１８１がオペレータによって何も操作されていない状態では，図６（ａ）に示すように，ジョイスティック１８１は中立位置で直立不動の状態となる。この状態で決定ボタン１８７が押下されても，方向決定部２２５は，現時点で向いている方向が撮像条件であると決定するため，カメラ装置１０１には指示信号が送信されない。
【００８５】
なお，図６（ａ）は，本実施の形態にかかるジョイスティック１８１が直立状態であるコントローラ１０３の上面図であり，図６（ｂ）は，本実施の形態にかかるジョイスティック１８１が直立状態であるコントローラ１０３の側面図である。
【００８６】
さらに，上記ジョイスティック１８１をＸ軸上右方向（図７に示す白抜きの矢印方向。）に傾倒すると，図７（ａ）に示す状態となり，この状態で決定ボタン１８７が押下されると，方向決定部２２４は，図７（ａ）に示す白抜きの矢印方向を撮像条件であると決定するため，カメラ装置１０１には，当該撮像条件にカメラ部３０１を回転する旨の指示信号が送信される。
【００８７】
なお，図７（ａ）は，本実施の形態にかかるジョイスティック１８１がＸ軸上右方向に傾斜した状態のコントローラ１０３の上面図であり，図７（ｂ）は，本実施の形態にかかるジョイスティック１８１がＸ軸上右方向に傾斜した状態のコントローラ１０３の側面図である。
【００８８】
次に，図８及び図９を参照しながら，上記のように構成された撮像装置１００において，カメラ部３０１の撮像条件を制御する動作の実施形態について説明する。図８は，本実施の形態にかかるカメラ部３０１の撮像条件を制御する動作の概略を示すフローチャートである。図９（ａ）は，本実施の形態にかかるカメラ部３０１の撮像条件を制御する際のコントローラ１０３の概略を示す上面図であり，図９（ｂ）は，本実施の形態にかかるカメラ部３０１の撮像条件を制御する際のコントローラ１０３の概略を示す側面図である。
【００８９】
本実施の形態にかかるカメラ部３０１の撮像条件を制御する場合，撮像装置１００の電源をＯＮにし，カメラ装置１０１のカメラ部３０１が被写体を撮像し，カメラ装置１０１は映像信号を表示装置１０５に送信する。
【００９０】
送信する際，接続ケーブル１０７ｂを介して映像信号が送信されるが，上記接続ケーブル１０７ｂは，一般的なシリアルケーブルまたは光ファイバケーブルなどを例示することができる。上記光ファイバーケーブルによって，長距離の離れた場所からもコントローラ１０３でカメラ装置１０１をリモート操作することができる。
【００９１】
カメラ装置１０１から表示装置１０５に映像信号が入力すると，表示装置１０５は，画面上にカメラ部３０１で撮像した映像が映し出される。オペレータは上記映像を視聴することができる。
【００９２】
オペレータが映し出された映像から露出がアンダーの場合や，色温度が適正でない場合など別の撮像条件に変更したい場合，オペレータは，上記コントローラ１０３を用いて，カメラ部３０１の撮像条件を制御し，画面で確認しながら，撮像条件を変更することができる。
【００９３】
撮像条件を変更する場合，まず，オペレータは，コントローラ１０３に設けられたモード切換ボタン１８８を押下することで，オート設定モードからマニュアル設定モードに切換える。なお，初期設定では，予めオート設定モードが設定されている。またモード切換ボタン１８８を再度押下することで再びオート設定モードに戻る。
【００９４】
マニュアル設定モードにコントローラ１０３が切換わると，次に，露出または色温度（ホワイトバランス）のいずれかの設定を選択するため，撮像条件切換ボタン１８９を押下して切換える。まず，以下の説明では，露出を設定する露出設定モードに切換えた場合について説明する。通常，初期状態では露出設定モードである。
【００９５】
上記マニュアル設定モードおよび露出設定モードに切換わると，次に，カメラ部３０１の撮像条件を変えたいと所望する撮像条件の方向に，オペレータがジョイスティック１８１を傾倒する。
【００９６】
オペレータがジョイスティック１８１を傾倒すると，図８に示すように，コントローラ１０３に備わる座標検出部２１３は，ＸＹ座標値を検出する（Ｓ１００１）。
【００９７】
次に，上記座標検出部２１３により，２つの撮像条件の設定値を示すＸＹ座標値が検出されると（Ｓ１００１），指示信号生成部２２４は，上記２つの撮像条件の設定値が設定された指示信号を生成する（Ｓ１００３）。
【００９８】
ここで，図９（ａ）及び図９（ｂ）を参照しながら，本実施の形態にかかる撮像条件の設定値の検出について説明すると，まず，図９（ａ），図９（ｂ）に示すように，ジョイスティック１８１が傾倒すると，ＸＹ座標値である座標値Ａが検出される。
【００９９】
コントローラ１０３に割当てられた原点ＯとするＸＹ座標軸には，それぞれ異なる撮像条件が割当てられ，撮像条件切換ボタン１８９で露出設定モードが選択された場合，Ｙ軸にはシャッタースピード（撮像条件１）およびＸ軸には，レンズの絞り（撮像条件２）が割当てられる。
【０１００】
なお，色温度設定モードが選択された場合，Ｙ軸にはＲゲイン（撮像条件１）およびＸ軸には，Ｂゲイン（撮像条件２）が割当てられる。
【０１０１】
図１０を参照しながら，上記露出設定モードの場合のコントローラ１０３に割当てられるＸＹ座標軸について説明する。図１０は，本実施の形態にかかる露出を制御する場合のＸＹ座標軸の概略を示す説明図である。
【０１０２】
図１０に示すように，コントローラ１０３のジョイスティック１８１の根元を原点ＯとするＸＹ座標軸には撮像条件が割当てられている。Ｙ軸には，シャッタースピード（撮像条件１）が割当てられ，Ｘ軸には，レンズの絞り（撮像条件２）が割当てられている。
【０１０３】
上記シャッタースピードおよび絞りの設定値を決めることで露出が決定することとなる。つまり，ＸＹ座標値と露出の設定値が一対一に対応するため，ＸＹ座標値が決まれば上記シャッタースピードおよび絞りの設定値が決まることとなる。
【０１０４】
また，図１０に示すように，シャッタースピードは，正方向に進むに従ってシャッタースピードが遅くなるためカメラ部３０１が撮像する映像は明るくなる。また，絞りについても正方向に進むに従って絞りが開放になるためカメラ部３０１が撮像する映像は全体的にあかるくなる。
【０１０５】
オペレータが表示装置１０５の画面に映し出された映像から，より明るい画面が適当であるのか又はより暗い画面が適当であるのかを判断し，図１０に示すように，適当な画面の明るさを示す方向に，ジョイスティック１８１を傾倒すると，例えば，座標値Ａが座標検出部２１３によって検出される（Ｓ１００１）。
【０１０６】
座標検出部２１３が座標値Ａを検出することで，Ａにおける２つの撮像条件の設定値を例えば，“（絞り値，シャッタースピード値）”＝“（Ｆ５．６，１／６０秒）”と，それぞれ求められるため，座標検出部２１３は，一回のジョイスティック１８１の入力操作で２つの撮像条件の設定値を検出することができる。なお，本実施の形態にかかる座標値Ａは，（絞り値，シャッタースピード値）が（Ｆ５．６，１／６０秒）である場合を例に挙げて説明したが，かかる例に限定されない。
【０１０７】
次に，図８に示すように，ジョイスティック１８１を適当な方向（例えば，図１０に示す原点Ｏから座標値Ａの方向）に傾倒すると，指示信号生成部２２４は，座標値Ａから求められた上記シャッタースピード，絞りの設定値を指示信号に設定し，指示信号を生成する（Ｓ１００３）。
【０１０８】
コントローラ１０３側の通信部２１７は，生成された指示信号をカメラ装置１０１に接続ケーブル１０７を介して送信する。
【０１０９】
カメラ装置１０１の通信部２１１は，上記指示信号を受信すると，ＣＰＵ２０９に送信し，ＣＰＵ２０９は，指示信号に設定されたシャッタースピード，絞りの設定値に基づいて電子シャッター制御部２０５及びレンズ絞り制御部２３０に対し，撮像条件を制御させる（Ｓ１００５）。
【０１１０】
電子シャッター制御部２０５またはレンズ絞り制御部２３０は，カメラ部３０１に対して，上記撮像条件の設定値を指示された撮像条件の設定値に更新する。ただし，最初に指示信号が送信される前の既存の撮像条件の設定値は，コントローラ１０３側から決定指示信号が送信されるまで，記憶しておく。以降，ジョイスティック１８１が連続して入力操作された場合も同様である。
【０１１１】
電子シャッター制御部２０５またはレンズ絞り制御部２３０によって撮像条件が更新されると，上記更新された撮像条件での映像が表示装置１０５に反映されて，画面上に表示されるため，オペレータは，ジョイスティック１８１で操作しながら画面で確認できる。
【０１１２】
オペレータが決定ボタン１８７を押下すると，指示信号生成部２２４は，決定ボタン１８７が押下された時点での座標検出部２１３が検出した撮像条件の設定値を決定指示信号に設定し，決定指示信号を生成する。
【０１１３】
通信部２１７は，上記決定指示信号を，接続ケーブル１０７を介してカメラ装置１０１に送信する。
【０１１４】
カメラ装置１０１側の通信部２１１が上記決定指示信号を受信すると，ＣＰＵ２０９に送信し，ＣＰＵ２０９は，決定指示信号に設定されたシャッタースピード，絞りの設定値に基づいて電子シャッター制御部２０５及びレンズ絞り制御部２３０に対し，撮像条件を設定させる。
【０１１５】
電子シャッター制御部２０５またはレンズ絞り制御部２３０は，カメラ部３０１に対して，既存の撮像条件の設定値を，決定指示信号に設定された撮像条件の設定値に更新し，確定する。上記既存の撮像条件の設定値は，削除される。
【０１１６】
したがって，オペレータは，決定ボタン１８７の押下時点でのジョイスティック１８１の傾倒方向に対応する撮像条件に設定し，確定することができる。なお，決定ボタン１８７が一旦押されると，再度マニュアル設定モードに切換わるまで，ジョイスティック１８１で入力操作しても，撮像条件を制御又は設定することができない。
【０１１７】
上記ジョイスティック１８１に決定ボタン１８７を備えることで，オペレータが目的とする撮像条件を正確にカメラ装置１０１に指示することができ，誤って目的の撮像条件と異なる撮像条件を指示しても決定ボタン１８７さえ押下しなければ，カメラ部３０１の撮像条件の設定は確定しないため，オペレータの誤操作を防ぎ，誤操作による撮像条件の再設定処理を省き消費電力を軽減できる。
【０１１８】
さらに，ジョイスティック１８１の入力操作に連動して，逐次撮像条件の変更が反映された映像が表示装置１０５の画面に表示されるため，オペレータは，ジョイスティック１８１で入力操作しながら，撮像条件を確認することができる。
【０１１９】
以上で，本実施の形態にかかる撮像条件を制御する一連の処理が終了する。なお，本実施の形態にかかる撮像条件の制御は，露出の場合に限定されず，色温度の場合についても実施可能である。以下，変形例として，本実施の形態にかかる撮像条件のうち色温度を制御する制御処理について説明する。
【０１２０】
なお，本実施の形態にかかる露出を制御する処理と，色温度を制御する処理とほぼ同様の構成であるため，相違する点について詳細に説明する。
【０１２１】
本実施の形態にかかる露出を制御する処理と，色温度を制御する処理とを比べると，コントローラ１０３のＸＹ座標軸に割当てられる撮像条件が異なる点で相違する。
【０１２２】
そこで，図１１を参照しながら，本実施の形態にかかる色温度を制御する場合のＸＹ座標軸に割当てられる撮像条件について説明する。図１１は，本実施の形態にかかる色温度を制御する場合のＸＹ座標軸に割当てられる撮像条件を概略的に示す説明図である。
【０１２３】
図１１に示すように，コントローラ１０３のジョイスティック１８１の根元を原点ＯとするＸＹ座標軸には撮像条件が割当てられている。Ｙ軸には，Ｒゲイン（撮像条件１）が割当てられ，Ｘ軸には，Ｂゲイン（撮像条件２）が割当てられている。
【０１２４】
上記ＲゲインおよびＢゲインの設定値を決めることで色温度が決定することとなる。つまり，ＸＹ座標値と色温度の設定値が一対一に対応するため，ＸＹ座標値が決まれば上記ＲゲインおよびＢゲインの設定値が決まることとなる。
【０１２５】
オペレータが表示装置１０５の画面に映し出された映像から，色温度の設定値が高い画面が適当であるのか又は設定値が低い画面が適当であるのかを判断し，図１１に示すように，適当な色温度の設定値を示す方向に，ジョイスティック１８１を傾倒すると，例えば，座標値Ａが座標検出部２１３によって検出される。
【０１２６】
座標検出部２１３が座標値Ａを検出することで，Ａにおける２つの撮像条件の設定値を例えば，“（Ｂゲイン値，Ｒゲイン値）”＝“（＋５０，＋５０）”と，それぞれ求められるため，座標検出部２１３は，一回のジョイスティック１８１の入力操作で２つの撮像条件の設定値を検出することができる。なお，本実施の形態にかかる座標値Ａは，（Ｂゲイン値，Ｒゲイン値）が（＋５０，＋５０）である場合を例に挙げて説明したが，かかる例に限定されない。
【０１２７】
以上から，本実施の形態にかかる撮像装置１００では，コントローラ１０３からカメラ装置１０１のカメラ部３０１の撮像条件を接続ケーブル１０７を介して指示することができるため，カメラ装置１０１が設置された場所とは別の遠隔地からコントローラ１０３によってカメラ部３０１の撮像条件の制御を遠隔操作できる。
【０１２８】
また，本実施の形態にかかる撮像装置１００では，オペレータはジョイスティック１８１を一回の入力操作で２つの撮像条件を一度に指定することができ，カメラ部３０１の撮像条件を変更することができるため，容易かつ効率的に撮像条件を指示できる。
【０１２９】
また，ジョイスティック１８１の倒す方向で撮像条件を指示することができるため、オペレータは直感的に撮像条件の指定が可能となる。さらに撮像条件が反映された映像がリアルタイムに表示装置１０５の表示画面に映るのを見ながらでも，コントローラ１０３に意識がとらわれずに，直感的に所望の方向に撮像条件を指示できる。
【０１３０】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【０１３１】
上記実施形態においては，接続ケーブル１０７がシリアルケーブルの場合を例にあげて説明したが，本発明はかかる例に限定されない。例えば，光ファイバケーブル等の場合でも実施することができる。なお上記の場合，光信号から電気信号に変換等を行うＳＦＰモジュールなどを備えた中継器（図示せず。）が必要となり，上記中継器にコントローラ１０３を接続することになる。
【０１３２】
また上記実施形態においては，コントローラ１０３にはジョイスティック１８１が１つ備わる場合を例にあげて説明したが，かかる例に限定されず，例えば，コントローラ１０３にジョイスティック１８１を２つ備える場合であっても実施できる。なお，上記の場合，一方のジョイスティック１８１がカメラ部３０１の露出を制御する場合に使用され，他方のジョイスティック１８１がカメラ部３０１の色温度を制御する場合に使用される。かかる場合により，オペレータは左右の手でジョイスティック１８１を操作し，左右のジョイスティック１８１を１回の入力操作でカメラ部３０１の露出及び色温度の撮像条件を同時に制御することができる。
【産業上の利用可能性】
【０１３３】
本発明は，ネットワークを介して検索情報を提供することが可能な検索情報提供システムに適用可能である。
【図面の簡単な説明】
【０１３４】
【図１】本実施の形態にかかる撮像装置の概略的な構成を示す説明図である。
【図２】本実施の形態にかかるカメラ装置の概略的な構成を示す説明図である。
【図３】本実施の形態にかかるコントローラの概略的な構成を示す上面図である。
【図４】本実施の形態にかかる撮像装置の概略的な構成を示すブロック図である。
【図５】本実施の形態にかかるジョイスティックが備わるコントローラの概略的な構成を示す説明図である。
【図６】本実施の形態にかかるジョイスティックが備わるコントローラの概略的な構成を示す説明図である。
【図７】本実施の形態にかかるジョイスティックが備わるコントローラの概略的な構成を示す説明図である。
【図８】本実施の形態にかかるカメラ部の撮像条件を制御する動作の概略を示すフローチャートである。
【図９】本実施の形態にかかるカメラ部の撮像条件を制御する際のコントローラの概略を示す説明図である。
【図１０】本実施の形態にかかる露出を制御する場合のＸＹ座標軸の概略を示す説明図である。
【図１１】本実施の形態にかかる色温度を制御する場合のＸＹ座標軸に割当てられる撮像条件を概略的に示す説明図である。
【符号の説明】
【０１３５】
１００      撮像装置
１０１      カメラ装置
１０３      コントローラ
１０５      表示装置
１０７      接続ケーブル
【図１】
2005203874.tif 000003
【図２】
2005203874.tif 000004
【図３】
2005203874.tif 000005
【図４】
2005203874.tif 000006
【図５】
2005203874.tif 000007
【図６】
2005203874.tif 000008
【図７】
2005203874.tif 000009
【図８】
2005203874.tif 000010
【図９】
2005203874.tif 000011
【図１０】
2005203874.tif 000012
【図１１】
2005203874.tif 000013